(57)【特許請求の範囲】
【請求項１】
複数の番組パケットストリームを受信して一つの物理チャンネルに多重するデジタル放送多重装置において、
受信した前記番組パケットストリーム中に存在する時刻同期の基準となるＰＣＲパケットの位置を各番組パケットストリームから検出するＰＣＲ検出装置と、
前記ＰＣＲ検出装置により検出された前記複数の番組パケットストリーム中のＰＣＲパケット位置を、時刻同期の基準となる番組パケットストリーム中のＰＣＲパケットにそろえるＰＣＲ位置補正装置と、
前記ＰＣＲ検出装置にて検出したＰＣＲパケットの値に基づき、時刻同期の基準となる番組パケットストリーム以外の番組パケットストリームにおけるＰＣＲパケットの値に対する補正値を算出するＰＣＲ補正値作成装置と、
前記ＰＣＲパケット位置が変更された複数の番組パケットストリームと時刻同期の基準となる番組パケットストリームを一つの物理チャンネルに多重した番組パケットストリームを出力する再多重装置を備え、
前記再多重装置は、前記ＰＣＲパケット位置が変更された番組パケットストリームのＰＣＲパケットの値を、前記補正値に基づき補正すること
を特徴とするデジタル放送多重装置。
【請求項２】
請求項１のデジタル放送多重装置において、
ＰＣＲ位置補正装置は、前記ＰＣＲ検出装置により求めた時刻同期の基準となるＰＣＲパケットの基準位置と同期を取る番組パケットストリームのＰＣＲパケット位置との偏差をもとに、前記複数の番組パケットストリーム中のＰＣＲパケット送出を遅延させるための遅延時間を求め、ＰＣＲパケット位置を、時刻同期の基準となる番組パケットストリーム中のＰＣＲパケットにそろえること
を特徴とするデジタル放送多重装置。
【請求項３】
請求項１のデジタル放送多重装置において、
前記ＰＣＲ補正値作成装置は、時刻同期の基準となる番組パケットストリームと同期を取る番組パケットストリームの基準位置の偏差をもとに、前記複数の番組パケットストリーム中のＰＣＲパケットの値を補正するための補正値を求めること
を特徴とするデジタル放送多重装置。
【請求項４】
請求項１のデジタル放送多重装置において、
前記ＰＣＲ位置補正装置は、複数入力される番組パケットストリーム中のＰＣＲ周期の最大公約数で各パケットストリームのＰＣＲパケット位置を算出すること
を特徴とするデジタル放送多重装置。
【請求項５】
請求項１のデジタル放送多重装置において、
前記ＰＣＲ位置補正装置は、時刻同期の基準となる番組パケットストリームにおける最初のＰＣＲパケットの到着時刻と、ＰＣＲパケット位置をそろえる各番組パケットストリームの最初に到着したＰＣＲパケットの到着時刻を比較してＰＣＲパケット到着時刻をずらし、パケット送出タイミングをそろえることで、時刻同期の基準となる番組パケットストリーム中のＰＣＲパケットに、前記複数の番組パケットストリーム中のＰＣＲパケット位置をそろえること
を特徴とするデジタル放送多重装置。
【発明の詳細な説明】
【技術分野】
【０００１】
本発明は、移動体向けのデジタル放送送出装置に関する。
【背景技術】
【０００２】
複数のストリームの同期方法に関しては、以下の技術が知られている。
【０００３】
特開２００５−２７７４６４号公報の発明は、親局からの放送素材信号をネット受け局の放送素材信号に切り替える際に、ネットキュー検出器により親局からの放送素材信号に含まれるネットキュー信号を検出し、切替スイッチの切替精度を高めることで送出信号に親局からの放送素材のちら見えを生じさせることなくスムーズに行う放送素材信号切替装置である。
【０００４】
特開２００１−２５７６５４号公報では、系統切替時に、切替器及びエンコーダそれぞれのＳＴＣ（System Time Clock）で計測されるＳＴＣ値を同期させるために、同期発生制御器によりＳＤＩ（Serial Digital Interface）信号中の補助信号パケットを利用して基準ＳＴＣ値を切替器及びエンコーダそれぞれに通知する。そして、ＳＤＩ信号を受信したエンコーダは、この受信結果に基づいて系統間でフレーム位相を揃えるように映像信号に圧縮符号化を施してビットストリームに変換するとともに、ＳＤＩ信号の補助信号パケットから基準ＳＴＣ値を抽出し、それぞれＳＴＣで計測される計測ＳＴＣ値を基準ＳＴＣ値に置き換え、送出するビットストリームのフレーム毎に基準ＳＴＣ値を付加する。また、ＳＤＩ信号を受信した切替器は、補助信号パケットから抽出した基準ＳＴＣ値に基づいて系統切り替えを行う。
【０００５】
特開２００３−１０１９７６号公報の発明によれば、信号処理時に変化するストリーム中のＰＣＲ（Program Clock Reference）の値を、信号処理部による信号処理に要する時間に相当する補正値を求めて補正する時間情報補正部を設けることにより、番組数の変化に柔軟に対応可能なストリーム生成装置を実現している。
【０００６】
また、特開２００１−２８７３８号公報に記載の技術のように、外部の基準クロックを用いて、ストリームの同期を取る方法が知られている。
【０００７】
【特許文献１】特開２００５−２７７４６４号公報
【特許文献２】特開２００１−２５７６５４号公報
【特許文献３】特開２００３−１０１９７６号公報
【特許文献４】特開２００１−２８７３８号公報
【発明の開示】
【発明が解決しようとする課題】
【０００８】
以上の従来技術に関して、特開２００５−２７７４６４号公報の従来技術に関しては、差替えるストリームと差替えられるストリームのＰＣＲパケットの出現間隔が時刻同期していないため、ＰＣＲの出現周期がＩＳＤＢ−Ｔ方式におけるワンセグ放送のように、比較的長い場合には、端末にてデコードする際に、ＰＣＲ位置のずれにより、ちら見えがなお発生する可能性が高い。また、特開２００１−２５７６５４号公報の従来技術では、ＳＴＣ値に基づいて基準時刻を複数のストリーム間で修正するものの、ＰＣＲの出現周期が比較的長い場合には、最大ＰＣＲの出現周期の２倍のタイムラグが発生する可能性がある。また、特開２００３−１０１９７６号公報の従来技術に関しても、前述した二つの従来技術と同様の課題がある。
【０００９】
デジタル放送においては、あるチャンネルを視聴している際にチャンネルを切り替えると、必ず一度画面がブラックアウト、あるいは画面が動かなくなる状態（フリーズ）を経由してから前に選択していたチャンネルと、新しく選択したチャンネルの遷移を行う。これは各チャンネルを放送している放送局間で、ＰＣＲの同期が取れていないためである。即ち選局動作が生じると、各放送局の番組データ中に含まれているＰＣＲ（Program Clock Reference）の値が不連続となり、デコーダが一旦リセットされて、既にデコードしていたデータを破棄してしまう。そのため、バッファが一旦クリアされてしまうのと等しい状態となり、デコーダのバッファ内に必要データが蓄積されるまで画面表示上はブラックアウト、あるいは画面がフリーズしてしまう。そしてその後、バッファ内にデコードされたデータが蓄積されてから、選局した番組が表示されるようになる。このチャンネル切り替え後の待ち時間が番組を視聴している立場からすると、アナログ放送の際にはなかった現象であり、視聴の際に快いものではない。
【００１０】
一方、今後の新しい放送方式として、１セグメント毎に放送されている番組をひとつのチャンネルにまとめて放送する方式が普及しつつある。たとえば複数の異なる番組を流しているセグメントを一つのチャンネルに連結送信の形態で結合させて放送する広域放送向けの放送方式である。この放送方式の場合は、単一のセグメントで独立して符号化したデジタル放送のトランスポートストリームをそのまま再多重化して１チャンネルに多重するために、トランスポートストリームを再多重する際にＰＣＲの同期をとっていない。そのため、各セグメント間の選局動作により番組を切り替える際には受信端末側にてブラックアウト、並びに表示上のフリーズが依然として発生する。
【００１１】
受信側で選局動作を行った際にも、受信側で途切れなく視聴が可能となるためには、各番組中のトランスポートストリーム中に含まれているＰＣＲを一律に同期させる必要がある。このために、例えば特開２００１−２８７３８号公報における図１の「基準クロック」では同期信号発生のための高価なルビジウム発信機、あるいは同期信号を伝送するための回線を用いた方法が開示されている。しかし、これらの装置は設置コストが高いという課題が上げられる。そのため、簡易的な方法で、実用上の精度が確保される時刻同期を行って、複数の番組を同期多重する仕掛けが求められている。
【課題を解決するための手段】
【００１２】
本発明では、上記の課題に対し、多重しようとする複数のトランスポートストリームの中から、基準とするトランスポートストリームを選択し、そのトランスポートストリームに含まれているＰＣＲパケットを解析するＰＣＲ位置検出装置とＰＣＲ補正値作成装置を備える。また更に、ＰＣＲ位置検出装置の解析結果を元に多重するパケットの多重時刻補正を行うＰＣＲ位置補正装置を備え、このＰＣＲ位置補正装置により基準としたトランスポートストリーム以外の各トランスポートストリーム中のＰＣＲを補正して、複数のトランスポートストリーム間でＰＣＲパケット送出タイミングの時刻同期を行い、ＲＥＭＵＸ装置ではＰＣＲ補正値作成装置にて補正した各トランスポートストリームに対応するＰＣＲの値を補正して複数のトランスポートストリームを再多重する。
【発明の効果】
【００１３】
本発明の多重方式を用いることにより、各セグメント間のＰＣＲが同期できるため、チャンネルのセグメント内で選局したセグメントが移動しても、選局の際にブラックアウト、ならびに画面フリーズの発生頻度が低減する。
【発明を実施するための最良の形態】
【００１４】
以下に本発明を用いたデジタル放送多重装置の実施例を、図を用いて説明する。
【実施例１】
【００１５】
図１は本発明を用いたデジタル放送多重装置１５０は、信号発生装置１００〜１０４（ＥＮＣ０，ＥＮＣ１，ＥＮＣ２，ＥＮＣ３，…ＥＮＣｎ）から出力されたトランスポートストリーム（ＴＳ）を入力とし、ＯＦＤＭ変調器１１０へＩＳＤＢ−Ｔトランスポートストリームを出力する。このデジタル放送多重装置１５０は、ＰＣＲ検出装置１０５，ＰＣＲ位置補正装置１０６，ＰＣＲ補正値作成装置１０８，信号発生装置１００〜１０４からのトランスポートストリームを多重するＲＥＭＵＸ装置１０９，キーボード等の入力デバイスからの信号やＲＳ４２２を使った制御信号を授受するＩ／Ｏデバイス１５１，ＲＥＭＵＸの際の設定値を始めとした設定情報を記録する記憶装置１５２，ＣＰＵ１５３を備えている。ＰＣＲ検出装置１０５，ＰＣＲ位置補正装置１０６，ＰＣＲ補正値作成装置１０８，ＲＥＭＵＸ装置１０９は、バス１５４を介して、Ｉ／Ｏデバイス１５１，記憶装置１５２，ＣＰＵ１５３と接続されている。
【００１６】
信号発生装置１００〜１０４に対応した各バッファとＰＣＲ検出装置１０５の間、並びにＰＣＲ位置補正装置１０６の間、ＰＣＲ検出装置１０５とＰＣＲ位置補正装置１０６の間、ＰＣＲ位置補正装置１０６とＲＥＭＵＸ装置１０９の間はトランスポートストリームの形でデータの入出力が行われる。ＰＣＲ検出装置１０５とＰＣＲ補正値作成装置１０８の間はＰＣＲパケットが送受信される。ＰＣＲ補正値作成装置１０８とＲＥＭＵＸ装置１０９間はＰＣＲパケット、ＲＥＭＵＸ装置１０９とＯＦＤＭ変調器１１０の間はＩＳＤＢ−Ｔトランスポートストリームの形でデータの送受信が行われる。
【００１７】
信号発生装置１００〜１０４はトランスポートストリームを発生する装置であり、代表的なものとしては、映像，音声などの放送データを符号化するエンコーダである。ここでのトランスポートストリームは映像，音声，データ、システム情報が多重されているデータであり、デジタル放送に必要な最小限のデータ（たとえばＰＳＩ／ＳＩに代表されるシステム情報）、そしてＰＣＲを始めとした時刻制御情報が多重されている必要がある。信号発生装置１００〜１０４自体は、前述のように映像・音声をリアルタイムに符号化する装置の他に、単にトランスポートストリームを送出する装置、あるいはトランスポートストリームを中継する中継機器でもかまわない。
【００１８】
以下の説明では、デジタル放送多重装置１５０は、信号発生装置１００〜１０４から入力されたトランスポートストリームは、ＲＥＭＵＸ装置１０９によってＯＦＤＭ変調に適したＴＳパケットの配置が行われた上で、１つ以上のＯＦＤＭセグメント（以下、セグメント）から構成される階層に割り当てられるものとする。本実施例では特に、各階層は１つのセグメントにより構成されるものとして説明を進めるが、１つの階層は複数のセグメントで構成してもよい。
【００１９】
次にデジタル放送多重装置１５０を構成する各装置について説明する。ＰＣＲ検出装置１０５は、複数の信号発生装置から送出されるトランスポートストリームの中から、時刻の基準とする一つのトランスポートストリーム（基準ストリーム）を選択する。また、入力された複数のトランスポートストリームについて、各トランスポートストリーム中に多重されているＰＣＲパケットの位置を検出する。時刻の基準とする一つのトランスポートストリームの選択に関しては、例えばシステム中に複数存在する信号発生装置に付与されているＩＤ番号の最も小さいものを選択する、或いは、ある時間断面におけるＰＣＲ値が最も小さいものを選択する、という選択基準で決定する。以下では信号発生装置ＥＮＣ０が送出するトランスポートストリームが、選択されたトランスポートストリームであるものとして説明する。
【００２０】
外部クロックを用いてトランスポートストリーム間の同期をとらない場合は、トランスポートストリームにおけるＰＣＲパケットの多重位置が各トランスポートストリームでずれているため、各信号発生装置から送出されたトランスポートストリームにおけるＰＣＲパケットの到着時刻は最大ＰＣＲ周期と同等周期だけずれる可能性があり、この到着時刻のずれの分だけ各トランスポートストリームのＰＣＲパケットの多重位置がずれる現象が発生し得る。このようなトランスポートストリーム間で選局により再生するトランスポートストリームが遷移した場合に、受信機側では遷移先のトランスポートストリームにおけるＰＣＲを新たに取得してストリームの再生制御を行うため、その都度デコーダのリセットが発生する。即ち、現状のデジタル放送におけるチャンネル切り替え時のブラックアウト、映像の乱れと同様に、再生画像の乱れが発生する確率が大きくなってしまう。
【００２１】
また、各信号発生装置からのトランスポートストリーム間で、ＰＣＲパケットの多重位置のタイミングだけを合わせても、同じ多重位置における各トランスポートストリームのＰＣＲパケットに格納されたＰＣＲ値が同じでなければ、前記したブラックアウトや画面の乱れが同様に発生してしまう。従って、ＰＣＲパケットの多重位置のタイミングだけを合わせたトランスポートストリーム間で再生するトランスポートストリームが遷移した場合でもブラックアウトや画面の乱れが生じないようにするためには、切り替え対象となる多重化された全てのトランスポートストリームについて、同様のタイミングで同様のＰＣＲ値を持つＰＣＲパケットを多重化する必要がある。そのために、本実施例におけるデジタル放送多重装置１５０では、ＰＣＲの補正を、第一段階としてトランスポートストリーム中におけるＰＣＲパケットの位置の補正を実施して各トランスポートストリームにおけるＲＥＭＵＸ装置１０９へのＰＣＲパケット送出タイミングを所定の許容範囲に内に揃え、その後ＰＣＲ値そのものを補正するという形で、２段階を経て実施していく。
【００２２】
ＰＣＲ位置補正装置１０６について、図２，図３を用いて説明する。図２は、信号発生装置１００〜１０４からの、多重されるトランスポートストリームを模式的に示した図である。この図で、白い四角は通常のトランスポートストリームパケット（ＴＳパケット）を示し、黒い四角はＰＣＲパケットを示している。複数のトランスポートストリームを多重する場合、図２に示すように、それぞれのトランスポートストリームは元々相互の時刻同期がとられていないため、任意の時間に基準時刻を設定した際に、他のトランスポートストリームにおけるパケットの先頭がこの基準時刻に一致するとは限らない。例えば図２に示すように、時刻の基準とした信号発生装置ＥＮＣ０のトランスポートストリームにおけるＰＣＲパケットの先頭に基準時刻が設定されている場合、他のトランスポートストリームに関しては、例えば信号発生装置ＥＮＣ１〜ＥＮＣｎのＴＳパケットやＰＣＲパケット等、パケットの先頭はこの基準時刻に必ずしも一致しない。
【００２３】
そして、電波産業会ＡＲＩＢの運用規定に従って各信号発生装置がＰＣＲパケットの挿入周期を守っていても、各信号発生装置の設定、並びに起動タイミングにより、ＰＣＲパケットの多重位置が全てのトランスポートストリームで一致することは確率的に考えて少ない。
【００２４】
このため、ＰＣＲ位置補正装置１０６においては、基準時刻に対するＰＣＲパケットの位置のずれはあるものの、所定の範囲内で各トランスポートストリーム間におけるＰＣＲパケットのトランスポートストリーム中における多重位置が同期するように、ＰＣＲパケット位置の補正を行う（図３）。
【００２５】
このＰＣＲパケットの時間的位置の同期をとる際に問題となるのが、基準時刻からみたＰＣＲ値の到着ずれを示す指標であるジッターである。ＰＣＲ値のジッターはＡＲＩＢの運用規定において５００（ns）以内と規定されている。そのため、図２の状態にある各トランスポートストリーム中のＰＣＲパケットの配置を図３のような状態に変更してジッターを最小限にするために、ＰＣＲ位置補正装置１０６では、トランスポートストリーム毎に設けられたバッファ内で、パケットを取り出してＲＥＭＵＸ装置１０９へ送出するタイミングを遅延させることにより、再多重時のＰＣＲパケットの挿入位置を補正する。このため、基準となるトランスポートストリームのＰＣＲパケット位置と他のトランスポートストリームのＰＣＲパケットの位置を、下記の式１による基準にて評価する。
【００２６】
５００（ns）＞｜ＰＣＲtime（base）−ＰＣＲtime（ｎ）｜    …（式１）
ただし、ＰＣＲtime（base）：基準とするトランスポートストリームのＰＣＲ値
ＰＣＲtime（ｎ）：トランスポートストリームｎのＰＣＲ値
なお、ここで、ＰＣＲ値とは、ＰＣＲパケットに格納されているＰＣＲ時刻の値である。
【００２７】
この式１による評価の後に、上記の条件を満たしていない場合には、ジッターを最小限にするＰＣＲパケットの位置を計算する。式１による条件を満たしている場合には、当初の信号発生装置から生成されたＰＣＲパケット多重位置のままとする。
【００２８】
なお、図２の例ではＰＣＲパケットの挿入されている周期がＥＮＣ０〜ＥＮＣｎのトランスポートストリームで同一である場合について説明したが、これらのトランスポートストリーム間でＰＣＲパケットの挿入周期が異なる場合には、各ＴＳにおけるＰＣＲパケット挿入周期の最大公約数となる周期の中でＰＣＲ位置を補正する。
【００２９】
以上のＰＣＲパケット位置の補正処理を図４を用いて説明する。なお、図４の処理では、基準となるトランスポートストリーム以外の全てのトランスポートストリームにおけるＰＣＲパケットが、式１の条件を満たさないものとして処理を行うが、式１の条件を満たすトランスポートストリームが存在する場合は、そのトランスポートストリームについては、図４における処理４０９〜処理４１１の間の処理だけを行うようにすれば良い。
【００３０】
処理４０１にて、基準とするトランスポートストリームをＰＣＲ検出装置１０５で選択する。以下では、このトランスポートストリームをストリーム０とする。選択する際の基準は前記した通り、最小のＰＣＲ値を持つＰＣＲパケット、あるいは最も到着時刻が早いＰＣＲパケットを有するトランスポートストリームを選択する、等である。次に処理４０２にて、処理４０１にて選択したトランスポートストリーム中のＰＣＲパケットの多重位置をＰＣＲ検出装置１０５により検出する。この検出では、ＰＣＲパケットが多重されている絶対時刻を検出する。ＰＣＲパケットの多重位置、即ちデジタル放送多重装置１５０におけるＰＣＲパケットの到着時刻は、トランスポートストリーム毎に設けられた各バッファについて、検出対象となるトランスポートストリームのバッファ内に特定のＰＩＤ（ＰＣＲのＰＩＤ）を持つトランスポートストリームのパケットが入ってきた時のＣＰＵ１５３のクロックから知ることが出来る。そして処理４０３では、基準とするトランスポートストリームで検出したＰＣＲパケットの多重位置、即ちそのＰＣＲパケットの到着時刻を、バッファからパケットを取り出してＲＥＭＵＸ装置１０９へ送出する時間を遅延させる際の基準時刻（ＰＣＲ遅延基準時刻）の初期値とする。
【００３１】
次に、処理４０１にて選択したトランスポートストリームにおけるＰＣＲ到着の絶対時刻を基準（以下の説明ではＥＮＣ０を基準として用いる）として他のトランスポートストリームのＰＣＲ位置補正を行う。具体的な補正の方法は、バッファ中における、前記した基準となるトランスポートストリームにおける最初のＰＣＲパケットの到着絶対時刻と、ＰＣＲ位置補正対象のトランスポートストリーム中の最初に到着したＰＣＲパケットの到着時刻を比較し、バッファ内におけるＰＣＲ位置補正対象のＰＣＲパケット到着時刻をずらす値としてパケット送出タイミングの遅延時間を求める（図２）。
【００３２】
まず処理４０４にて、ＰＣＲ補正のためＰＣＲパケット位置変更並びにＰＣＲ値変更の処理対象とするトランスポートストリームを、未処理のトランスポートストリームの中から１つ選択する。ここで、信号発生装置毎に出力するＰＣＲパケットのＰＩＤを変えておくことにより、特定のトランスポートストリームのＰＣＲパケットを識別することが出来る。またこのトランスポートストリームとＰＣＲパケットのＰＩＤとの対応関係は記憶装置１５２に記憶しておけばよい。処理４０５にて、ＰＣＲパケットの位置を補正する対象として選択したトランスポートストリームのＰＣＲパケットの多重位置であるＰＣＲパケットの到着時刻を検出する。処理４０６では、検出したＰＣＲ到着時刻とＰＣＲ遅延基準時刻を比較し、ＰＣＲ到着時刻の方が遅ければ、ＰＣＲ遅延基準時刻をこのＰＣＲ到着時刻により更新する（処理４０７）、そして、処理対象とする全てのトランスポートストリームについて処理を行ったか否かを調べ（処理４０８）、処理が終わっていれば次の処理４０９へ移り、終わっていなければ、処理４０４へ戻る。ここまでの処理により、基準となるトランスポートストリームのＰＣＲ到着時刻から最も送れて到着したＰＣＲパケットの到着時刻が、ＰＣＲ遅延基準時刻として求まる。
【００３３】
次に処理４０９では、信号発生装置から入力される全てのトランスポートストリームの中から、１つのトランスポートストリームを選択する。そして処理４１０では、選択したトランスポートストリームについて、処理４０５で求めたＰＣＲ到着時刻とＰＣＲ遅延基準時刻との差を、そのトランスポートストリームにおけるパケット送出の遅延時間として求める。求めた遅延時間は、処理４１０で選択したトランスポートストリームと対応付けて記憶装置１５２に記録しておく。処理４１１にて、全てのトランスポートストリームについて遅延時間を求めたか否かを調べ、未処理のトランスポートストリームがあれば、処理４０９に戻る。
【００３４】
このようにして処理４１０にて求めた遅延時間を、各トランスポートストリームにおけるＰＣＲ位置をずらす値としてバッファ内で反映させる。この処理を対象となるトランスポートストリーム全てに対して実施する。
【００３５】
次にＰＣＲ補正値作成装置１０８の動作について図５を用いて説明する。前記した基準とするトランスポートストリームにおけるＰＣＲパケットの到着絶対時刻をまず基準時刻とする。処理対象としている信号発生装置ＥＮＣｍからのトランスポートストリームについて、図４に示した処理フローによりＰＣＲパケットの位置補正を行う場合でも、ＰＣＲ補正処理がリアルタイム処理であることから、その処理の過程のバッファにおける処理で遅延が発生し、ＰＣＲパケットの位置に若干の誤差が発生することが考えられる。そこでその誤差を含む、基準とするトランスポートストリームによる基準時刻と、ＰＣＲパケットの位置とそのＰＣＲパケットの値を変更しようとしているトランスポートストリームの実際の到着絶対時刻との差γｍをまず求める。この時間差γｍを補正値として、ＥＮＣｍのＰＣＲ値には基準とするトランスポートストリームのＰＣＲパケットの値をα、ＰＣＲパケットの挿入周期時間をβ、周期をｎ（ｎ＝０，１，２，…）とすると、
補正時間＝α＋ｎβ＋γｍ    …（式２）
となる。この値を次の処理であるＲＥＭＵＸ装置１０９にて用い、各ストリームにおけるＰＣＲパケットの位置とそのＰＣＲの値を決定する。
【００３６】
ここでのγｍの求め方の一例について説明する。信号発生装置から入力されるトランスポートストリームは必ずしも同期しておらずＰＣＲ補正処理による遅延の発生も考えられることから、ＰＣＲ位置補正装置１０６によりＰＣＲパケットの多重位置をそろえても、基準としたトランスポートストリームのＰＣＲ値に他のトランスポートストリームのＰＣＲ値が揃うとは限らない。そこで前述のＰＣＲ遅延基準時刻をから求めた遅延時間だけ遅延させた後、次のトランスポートストリームパケット位置をＰＣＲパケットの多重位置とするＰＣＲパケット位置補正の結果、ＰＣＲ遅延基準時刻に対してそろえられた各トランスポートストリームのＰＣＲパケットの多重位置について、基準とするトランスポートストリームのＰＣＲパケットの絶対到着時刻から±β／２の範囲にある補正対象トランスポートストリームのＰＣＲパケットの多重位置を検出する。このＰＣＲパケットに対応する到着絶対時刻の値と基準ＰＣＲパケットの到着絶対時刻の差をγｍとする。
【００３７】
次に以上で求めたγｍを用いた、ＰＣＲ補正値作成装置１０８における、ＰＣＲパケットに格納されたＰＣＲの値を補正する処理に関して説明する。この処理を図６を用いて説明する。処理開始後、処理６０１にて、図４における処理４０１と同様、基準とするトランスポートストリームを選択する。その後、処理６０２にてＰＣＲパケットに格納されている値を補正する処理を行うトランスポートストリームを選択する。この時点では、ＰＣＲパケットの多重位置が決まっているために、基準となるトランスポートストリームのＰＣＲパケットの値を、式２による補正時間に従って補正する（処理６０３）。次に処理６０４では、前記したように基準とするトランスポートストリームの到着時刻と、ＰＣＲの位置、ならびにＰＣＲ値の補正対象とするトランスポートストリームにおけるＰＣＲパケットについて実際の到着時刻のずれを検出して補正値γｍとする。このγｍは、トランスポートストリームと対応付けて記憶装置１５２に記録される。処理６０５にて、ＰＣＲを補正する対象として選択されたトランスポートストリームｍのＰＣＲカウンタの値を式２に基づいて補正する。その後、処理６０６にて修正対象であるトランスポートストリームを全て処理したか確認し、処理していないトランスポートストリームが存在する場合は、処理６０２に戻って、処理対象となるトランスポートストリームがなくなるまで次のトランスポートストリームに関して同様の補正を行う。
【００３８】
以上の、図４に示した処理及び図６に示した処理は、デジタル放送多重装置１５０が起動されるたび、あるいはＰＣＲパケットの値が一周してしまい、元の値に戻ってしまった時に、実行することが必須である。そして、デジタル放送多重装置１５０の処理性能が十分に高ければ、毎ＰＣＲ多重周期あるいは一定周期毎に実行することが処理精度の面からは望ましいが、処理性能が十分高くない場合には、デジタル放送多重装置１５０の起動時に計算を行い、遅延時間および補正値γｍを各トランスポートストリームに対応付けて記憶装置１５２に記憶し、後の処理では、この値を使っても良い。
【００３９】
このように複数の番組を一つのチャンネルで送出するときに、本発明で上記に示した方式を適用して、チャンネル内で番組切り替えを行う際にもブラックアウト，フリーズが発生しない画面の遷移例を図７に示す。
【００４０】
図７中の７０１は、各番組に対応したセグメントのトランスポートストリーム間で時刻同期が取れておらずＰＣＲがばらばらで、かつ各セグメントのトランスポートストリームが不連続である場合の、番組切り替えに伴う画面遷移を表しており、７０２は本発明を適用したデジタル放送多重装置により、複数の番組のトランスポートストリームが多重されたチャンネルを受信し、このチャンネル内で番組Ａから番組Ｂへと切り替えた際の画面の映り具合を示している。
【００４１】
なお、７０１，７０２は共に、時刻７０３にて番組の切り替えを行った例を示している。この場合、ＰＣＲ値がばらばらで放送を行った７０１の場合には、番組切り替えに伴い７１１のようにＰＣＲの値が不連続になるため、７０４のように表示されていた番組Ａの画面ａが、チャンネルを切り替えた直後からしばらくは７０５に示すように画面がブラックアウトしてしまい、切り替え先の番組Ｂのデータが一定量蓄積された時点で、７０６に示すように番組Ｂの画面ｂが表示されるようになる。一方、本発明のデジタル放送多重装置を用いた場合には、７０２下側のグラフ７１２のようにＰＣＲが途切れることなく連続した状態が維持されるため、チャンネル切り替えを時刻７０３にて行っても、７０１で表示されなかった番組Ｂの画面ａ７０７が連続して表示され、視聴が便利になる。
【００４２】
ＲＥＭＵＸ装置１０９は各信号発生装置１００〜１０４にて生成し、ＰＣＲ位置補正装置１０６でＰＣＲの発生位置を補正されたトランスポートストリームを、後段のＯＦＤＭ変調器１１０に出力するためのフォーマットに従ったデータ形式に再多重する装置である。この基本的な多重方式は電波産業会によりＡＲＩＢ  ＳＴＤ−Ｂ３１として規格が定められている。本発明を用いたデジタル放送多重装置のように各セグメントのトランスポートストリームに識別番号を付与するため、図８に示すＴＭＣＣ情報のＢ１１０からＢ１１３までの４ビットに対し、セグメント番号を付与した後に、前記したＡＲＩＢ  ＳＴＤ−Ｂ３１に記載の私用で、トランスポートストリームの再多重（ＲＥＭＵＸ）を実施する。この時、電波産業会ＡＲＩＢ運用規定ＴＲ−Ｂ１４で定められるように、後段のＲＥＭＵＸ装置１０９において、ＰＣＲは再多重時の多重フレーム構造のＴＳパケットの配置に基づいてＰＣＲの数値とともに付け替える。
【００４３】
そして、ＲＥＭＵＸ装置１０９で再多重されたトランスポートストリームを、ＯＦＤＭ変調器１１０でＯＦＤＭ変調方式により変調してデジタル放送の放送波に変換する。
【００４４】
以上のように、本発明を用いることにより、各セグメント間のＰＣＲが同期できるため、チャンネル内で選局したセグメントが移動しても、選局の際にブラックアウト、ならびに画面フリーズの発生頻度が低減する。
【産業上の利用可能性】
【００４５】
複数の放送番組を多重して一チャンネルとして放送する場合に、チャンネル内で番組を切り替えた際に、チャンネル遷移が途切れなくスムーズにできる放送番組を制作することが可能となる。
【図面の簡単な説明】
【００４６】
【図１】本発明の第一の構成に関する図。
【図２】ＰＣＲ挿入位置を示す図。
【図３】ＰＣＲ位置をそろえた結果を示す図。
【図４】ＰＣＲ位置補正処理を表わすフローチャート。
【図５】ＰＣＲ値の補正値を説明する図。
【図６】ＰＣＲ値の補正値算出処理を説明するフローチャート。
【図７】チャンネル選択による画面の遷移を説明する図。
【図８】ＴＭＣＣ情報を説明する図。
【符号の説明】
【００４７】
１００〜１０４  信号発生装置
１０５  ＰＣＲ検出装置
１０６  ＰＣＲ位置補正装置
１０８  ＰＣＲ補正値作成装置
１０９  ＲＥＭＵＸ装置
１１０  ＯＦＤＭ変調器
１５０  デジタル放送多重装置
１５２  記憶装置
【図１】
0004565011.tif 000002
【図２】
0004565011.tif 000003
【図３】
0004565011.tif 000004
【図４】
0004565011.tif 000005
【図５】
0004565011.tif 000006
【図６】
0004565011.tif 000007
【図７】
0004565011.tif 000008
【図８】
0004565011.tif 000009